(57)【要約】  第１のフォーマットを有する第１のデータ作品を受信し、第１のフォーマットとは異なる第２のフォーマットを有する第２のデータ作品を供給する記憶装置（２）は、第１のデータ作品のセットおよび第２のデータ作品のサブセットを記憶媒体（２３）に格納する。プロセッサ（２０）は所定の第２のデータ作品を記憶媒体（２３）で検索する。肯定的な検索結果に応じて、所定の第２のデータ作品が再生装置（３）に供給され、処理能力および消費電力を節約するために、トランスコーディングを必要とすることなく再生される。否定的な検索結果に応じて、記憶容量を節約するため記憶媒体（２３）には第２のデータ作品のサブセットしか格納されていないので、対応する第１のデータ作品が記憶媒体（２３）から読み出され、トランスコーダー（２２）はこの対応する第１のデータ作品を所定の第２のデータ作品にトランスコードし、その後、所定の第２のデータ作品が再生装置（３）に供給される。
2007528087.tif 000002
【特許請求の範囲】
【請求項１】
第１のデータフォーマットを有する第１のデータ作品を受信する入力と、
第１のデータ作品を、前記第１のデータフォーマットとは異なる第２のデータフォーマットを有する第２のデータ作品にトランスコードするトランスコーダと、
第１のデータ作品のセットおよび第２のデータ作品のサブセットを格納する記憶媒体と、
前記記憶媒体に格納された所定の第２のデータ作品を検索し、肯定的な検索結果に応じて、前記所定の第２のデータ作品を再生装置に供給し、否定的な検索結果に応じて、対応する第１のデータ作品を前記所定の第２のデータ作品にトランスコードする前記トランスコーダを制御し、前記所定の第２のデータ作品を前記再生装置に供給するプロセッサと、
を備える、データ作品を格納する記憶装置。
【請求項２】
前記プロセッサが、データ作品優先度に応じて、前記記憶媒体に格納された第２のデータ作品を削除するようにアレンジされる、請求項１に記載の記憶装置。
【請求項３】
前記データ作品が音楽作品であり、前記第１のデータフォーマットが第１のオーディオ規格に対応し、前記第２のデータフォーマットが第２のオーディオ規格に対応し、前記第１のオーディオ規格が前記第２のオーディオ規格より少ない記憶容量を必要とする、請求項１に記載の記憶装置。
【請求項４】
前記再生装置は、データ作品が前記第２のデータフォーマットを有することを必要とするワイヤレスチャンネルを介して前記記憶装置に接続される、請求項１に記載の記憶装置。
【請求項５】
前記記憶装置がオーディオレコーダを備え、
前記再生装置が１台以上のスピーカーを含む、
請求項１に記載の記憶装置。
【請求項６】
再生装置およびデータ作品を格納する記憶装置を備えるシステムであって、
前記記憶装置が、
第１のデータフォーマットを有する第１のデータ作品を受信する入力と、
第１のデータ作品を、前記第１のフォーマットとは異なる第２のフォーマットを有する第２のデータ作品にトランスコードするトランスコーダと、
第１のデータ作品のセットおよび第２のデータ作品のサブセットを格納する記憶媒体と、
前記記憶媒体に格納された所定の第２のデータ作品を検索し、肯定的な検索結果に応じて、前記所定の第２のデータ作品を前記再生装置に供給し、否定的な検索結果に応じて、対応する第１のデータ作品を前記所定の第２のデータ作品にトランスコードする前記トランスコーダを制御し、前記所定の第２のデータ作品を前記再生装置に供給するプロセッサと、
を備える、
システム。
【請求項７】
データ作品を格納する記憶装置で使用するプロセッサであって、
前記記憶装置が、
第１のデータフォーマットを有する第１のデータ作品を受信する入力と、
第１のデータ作品を、前記第１のデータフォーマットとは異なる第２のフォーマットを有する第２のデータ作品にトランスコードするトランスコーダと、
第１のデータ作品のセットおよび第２のデータ作品のサブセットを格納する記憶媒体と、
前記記憶媒体に格納された所定の第２のデータ作品を検索し、肯定的な検索結果に応じて、前記所定の第２のデータ作品を再生装置に供給し、否定的な検索結果に応じて、対応する第１のデータ作品を前記所定の第２のデータ作品にトランスコードする前記トランスコーダを制御し、前記所定の第２のデータ作品を前記再生装置に供給する前記プロセッサと、
を備える、
プロセッサ。
【請求項８】
データ作品を再生装置に供給する方法であって、
第１のデータフォーマットを有する第１のデータ作品を受信するステップと、
第１のデータ作品を、前記第１のデータフォーマットとは異なる第２のデータフォーマットを有する第２のデータ作品にトランスコードするステップと、
第１のデータ作品のセットおよび第２のデータ作品のサブセットを記憶媒体に格納するステップと、
所定の第２のデータ作品を前記記憶媒体で検索し、肯定的な検索結果に応じて、前記所定の第２のデータ作品を前記再生装置に供給し、否定的な検索結果に応じて、対応する第１のデータ作品を前記所定の第２のデータ作品にトランスコードし、前記所定の第２のデータ作品を前記再生装置に供給するステップと、
を含む方法。
【請求項９】
データ作品を再生装置に供給するプロセッサプログラムプロダクトであって、
第１のデータフォーマットを有する第１のデータ作品を受信する機能と、
第１のデータ作品を、前記第１のデータフォーマットとは異なる第２のデータフォーマットを有する第２のデータ作品にトランスコードする機能と、
第１のデータ作品のセットおよび第２のデータ作品のサブセットを記憶媒体に格納する機能と、
所定の第２のデータ作品を前記記憶媒体で検索し、肯定的な検索結果に応じて、前記所定の第２のデータ作品を前記再生装置に供給し、否定的な検索結果に応じて、対応する第１のデータ作品を前記所定の第２のデータ作品にトランスコードし、前記所定の第２のデータ作品を前記再生装置に供給する機能と、
を含む、プロセッサプログラムプロダクト。
【発明の詳細な説明】
【技術分野】
【０００１】
本発明はデータ作品を格納する記憶装置、システム、プロセッサ、方法、および、プロセッサプログラムプロダクトに関係する。
【０００２】
記憶装置の例は、オーディオレコーダまたはオーディオサーバー、および、ビデオレコーダまたはビデオサーバーであり、データ作品がオーディオ作品またはビデオ作品である。
【背景技術】
【０００３】
従来技術の記憶装置は、特に、非トランスコーダ技術を開示する米国特許第６１４１４４７号の第１段第１０〜２５行で知られ、ビデオサーバーが、異なるビットレート、解像度、または、フォーマットで符号化された同じビデオシーケンスの複数のコピーを格納するため使用され、ネットワーク輻輳、デコーダ能力、または、エンドユーザからの要求のような要因に依存して、異なるビットレート、解像度またはフォーマットを使用してビデオビットストリームを配信することができる。この問題を解決するため、米国特許第６１４１４４７号第１段第２５〜３５行において、トランスコーダ技術が特に導入され、トランスコーダは、復号化されたビデオピクセルのフレームシーケンスを生成するため高ビットレート圧縮ビデオビットストリームを復号化するデコーダを備え、低ビットレート圧縮ビデオビットストリームを生成するため低ビットレートおよび解像度を使用して、復号化されたフレームシーケンスを符号化するエンコーダを備える。しかし、これは大量の処理能力を必要とし、大量の電力を消費する。
【０００４】
第１のフォーマットを有する第１のデータ作品を受信し、第１のフォーマットとは異なる第２のフォーマットを有する第２のデータ作品を供給する記憶装置は、その結果、二つの選択肢がある。第一に、記憶装置は、受信次第、第１のデータ作品のそれぞれを第２のデータ作品に一旦トランスコードし、次に、第２のデータ作品がそのコピーを作成することによって繰り返し供給できるように、この第２のデータ作品を格納する。第１のデータ作品の記憶に加えて行われる可能性があるこれらの第２のデータ作品の記憶は、特に、第２のデータフォーマットが第１のデータフォーマットより大量の記憶容量を必要とする場合、大量の記憶容量を必要とする。第二に、記憶装置は、受信次第、第１のデータ作品のそれぞれを格納し、次に、要求次第、対応する第２のデータ作品が要求されるたびに、所定の第１のデータ作品をこの対応する第２のデータ作品にトランスコードし、次に、この第２のデータ作品を供給する。これは大量の処理能力を必要とし、大量の電力を消費する。
【０００５】
従来の記憶装置は、特に、比較的大量の記憶容量を必要とするか、または、比較的大量の処理能力を必要とし、かつ、比較的大量の電力を消費するので不利である。
【発明の開示】
【発明が解決しようとする課題】
【０００６】
本発明の目的は、特に、記憶容量と処理能力を比較的効率的に使用する記憶装置を提供することである。
【０００７】
本発明のさらなる目的は、特に、記憶容量と処理能力を比較的効率的に使用する記憶装置を含むシステム、記憶容量と処理能力を比較的効率的に使用する記憶装置で使用されるプロセッサ、並びに、記憶容量と処理能力を比較的効率的に使用する方法およびプロセッサプログラムプロダクトを提供することである。
【課題を解決するための手段】
【０００８】
本発明によるデータ作品を格納する記憶装置は、
第１のフォーマットを有する第１のデータ作品を受信する入力と、
第１のデータ作品を、第１のフォーマットとは異なる第２のフォーマットを有する第２のデータ作品にトランスコードするトランスコーダと、
第１のデータ作品のセットおよび第２のデータ作品のサブセットを格納する記憶媒体と、
記憶媒体に格納された所定の第２のデータ作品を検索し、肯定的な検索結果に応じて、所定の第２のデータ作品を再生装置に供給し、否定的な検索結果に応じて、対応する第１のデータ作品を所定の第２のデータ作品にトランスコードするトランスコーダを制御し、所定の第２のデータ作品を再生装置に供給するプロセッサと、
を含む。
【０００９】
本発明によれば、第１のデータ作品のセットが記憶媒体に格納され、第２のデータ作品のサブセットが記憶媒体に格納される。このサブセットは、たとえば、上記セットの優先部分を含む。プロセッサは所定の第２のデータ作品を記憶媒体で検索する。所定の第２のデータ作品を検出したことに対応する肯定的な検索結果に応じて、所定の第２のデータ作品はトランスコーダを関与させることなく再生装置に供給される。その結果として、処理能力が節約され、消費される電力が減少する。所定の第２のデータ作品を検出しなかったことに対応する否定的な検索結果に応じて、対応する第１のデータ作品が記憶媒体から読み出され、トランスコーダがこの対応するデータ作品を所定の第２のデータ作品にトランスコードするため制御され、その後、所定の第２のデータ作品が予め記憶媒体に格納されることなく再生装置に供給される。この場合、記憶容量が節約される。本発明による記憶装置は、したがって、比較的効率的にその記憶容量および処理能力を使用する。
【００１０】
第１のフォーマットおよび第２のフォーマットは、第１および第２のビットレート、解像度、符号化方式、規格などを備えることに注意すべきである。さらなるフォーマットは排除されるべきでない。
【００１１】
本発明による記憶装置の第１の実施形態は、データ作品優先度に応じて、記憶媒体に格納された第２のデータ作品を削除するようにアレンジされたプロセッサによって特徴付けられる。トランスコーダが対応する第１のデータ作品を第２のデータ作品にトランスコードした後に第２のデータ作品を記憶媒体に格納し、利用可能であるより多くの記憶容量が必要になると直ぐに、および／または、第２のデータ作品のため必要な記憶容量が所定の値を越えると直ぐに、第１または第２のデータ作品のそれぞれにデータ作品優先度を与えることにより、下位の優先度を有する第２のデータ作品を削除できる。その結果として、上位の優先度を有する第２のデータ作品は、トランスコーディングが必要とされることなく、直接的に利用可能であり、一方、下位の優先度を有する第２のデータ作品は、記憶媒体内の対応する第１のデータ作品をトランスコーディングすることを通じて間接的に利用可能である。
【００１２】
本発明による記憶装置の第２の実施形態は、音楽作品であるデータ作品によって特徴付けられ、第１のデータフォーマットは、たとえば、ＭＰ３（ＭＰＥＧオーディオレイヤー３）、ＷＡＶ（ウェイブ）、ＷＭＡ（ウィンドウズメディアオーディオ）などのような第１のオーディオ規格に対応し、第２のデータフォーマットは、ＳＢＣ（サブバンド符号化）などのような第２のオーディオ規格に対応する。第１のオーディオ規格は第２のオーディオ規格より少ない記憶容量を必要とする。したがって、通常は第１のデータ作品の全部を含む第１のデータ作品のセット全体が格納され、たとえば、上位の優先度を有する最も人気のある第２のデータ作品のような第２のデータ作品のサブセットだけが格納される。オーディオ作品は、たとえば、歌曲（の一部）または音声テキスト（の一部）などを含む。
【００１３】
本発明による記憶装置の第３の実施形態は、データ作品が第２のデータフォーマットを有することを必要とするワイヤレスチャンネルを介して記憶装置に接続された再生装置によって特徴付けられる。たとえば、ブルートゥース（Ｂｌｕｅｔｏｏｔｈ）のようなこのようなワイヤレスチャンネルは、記憶装置および再生装置がワイヤレス方式で接続されることを可能にさせ、それによって、ユーザにより大きな移動の自由を与える。
【００１４】
本発明による記憶装置の第４の実施形態は、たとえば、ハードディスクドライブレコーダのようなオーディオレコーダを含む記憶装置、および、たとえば、（無線または有線）ヘッドホンのような１台以上のスピーカーを含む再生装置によって特徴付けられる。インターネットから第１のデータ作品を記録するとき、記憶装置は再生装置に接続されてなくてもよい。一つ以上の所定の第２のデータ作品を再生するとき、記憶装置はこれらの第２のデータ作品を再生することを可能にする再生装置に接続される。
【００１５】
本発明によるシステム、本発明によるプロセッサ、本発明による方法、および、本発明によるプロセッサプログラムプロダクトの実施形態は、本発明による記憶装置の実施形態と対応する。
【００１６】
本発明は、特に、非トランスコーダ技術が比較的大量の記憶容量を必要とし、トランスコーダ技術が比較的大量の処理能力を必要とし、比較的大量の電力を消費するという見識に基づき、特に、すべての第２のデータ作品が記憶媒体に格納される必要はなく、第１のデータ作品のセットと第２のデータ作品のサブセットだけが格納されるべきであり、プロセッサが所定の第２のデータ作品を検索し、それを検出できなかった場合、対応する第１のデータ作品をこの所定の第２のデータ作品にトランスコードするトランスコーダを作動するという基本概念に基づいている。
【００１７】
本発明は、特に、記憶容量および処理能力を比較的効率的に使用する記憶装置を提供する問題を解決し、特に、トランスコーダを常に使用する従来技術の装置よりバッテリー寿命が増加する点、並びに、第１のデータ作品と第２のデータ作品をすべて並行して格納する従来技術の装置よりも必要な記憶容量が少ない点で有利である。さらに、本発明による記憶装置は、たとえば、インターネットと非インターネットデータフォーマットを必要とするチャンネルとの間に効率的なオーディオインターフェイスを提供する。
【００１８】
本発明の上記の態様およびその他の態様は、以下に記載された実施形態から明白であり、実施形態を参照して解明される。
【発明を実施するための最良の形態】
【００１９】
オーディオレコーダまたはハードディスクドライブレコーダのような図１に示された本発明による記憶装置２は、１台以上のスピーカーまたは有線若しくは無線ヘッドホンのような再生装置３をさらに含む本発明によるシステム１の一部を形成する。記憶装置２は、記憶装置２の入力２７に結合され、たとえば、インターネットから第１のデータフォーマットを有する第１のデータ作品を受信する入力インターフェイス２１を備える。入力インターフェイス２１はさらに、プロセッサ２０に結合され、バス２４を介してチャンネルインターフェイス２５に接続される。チャンネルインターフェイス２５は、プロセッサ２０と、ワイヤレスチャンネル４を経由する通信のためのアンテナ２８とに結合される。記憶装置２は、プロセッサ２０およびバス２４に結合されたトランスコーダ２２と、プロセッサ２０およびバス２４に結合された記憶媒体２３とをさらに備える。たとえば、キーボード、ディスプレイなどを備えるマンマシンインターフェイス（ｍｍｉ）２６はプロセッサ２０に結合される。
【００２０】
再生装置３は、ワイヤレスチャンネル４を経由して通信するためのアンテナ３７に結合され、第２のフォーマットを有する第２のデータ作品を受信するチャネルインタフェース３１を備える。チャンネルインターフェイス３１は、プロセッサ３０と、第２のデータ作品を変換する変換器３９とにさらに結合される。変換器３９は、プロセッサ３０と、変換された第２のデータ作品を増幅する増幅器４０とに結合される。この増幅器４０は、プロセッサ３０と、たとえば、キーボード、ディスプレイ、１台以上のスピーカー３８などを含むマンマシンインターフェイス（ｍｍｉ）３６とに結合される。ｍｍｉ３６はプロセッサ３０にさらに結合される。
【００２１】
本発明による記憶装置２は以下の通り機能する。第１のデータフォーマットを有する第１のデータ作品は、たとえば、インターネットから入力２７を介して、たとえば、モデムおよび／またはフィルタおよび／または増幅器および／またはバッファなどを含む入力インターフェイス２１に到達する。その上、各入力２７は、たとえば、ユーザによって制御されるパーソナルコンピュータを介してインターネットへ結合され、または、入力２７は、ユーザ操作ｍｍｉ２６からの制御下で、電話接続を介してより直接的にインターネットへ結合される。プロセッサ２０はこの第１のデータ作品の到着を通知され、第１のデータ作品がバス２４を介して、たとえば、ハードディスクドライブなどを含む記憶媒体２３に格納されるように、入力インターフェイス２１を制御する。
【００２２】
次に、ユーザは、第１のデータフォーマットを有する記録されたデータ作品を、たとえば、データ作品が第１のデータフォーマットとは異なる第２のデータフォーマットを有することを要求するブルートゥースチャンネルであるチャンネル４を介して、再生装置３で再生することを決める。ユーザは、予め定義されたデータ作品を検索するためｍｍｉ２６を操作する。それによって、ユーザは、種々のフォーマットを有するデータ作品を認識し、再生装置３を使用するため要求される第２のフォーマットを認識するか、または、異なるフォーマットはユーザから隠され、たとえば、プロセッサ２０は、再生装置３がデータ作品はこの第２のデータフォーマットを有することを要求することを認識している。これに応じて、プロセッサ２０は、たとえば、記憶媒体２３に格納された第２のデータ作品のリストをチェックする。ここまでは第２のデータ作品が格納されていないので、否定的な検索結果が生成され、所定の第２のデータ作品の代わりに、プロセッサ２０の制御下で、対応する第１のデータ作品が、記憶媒体２３からバス２４を介してトランスコーダ２２に供給（コピー）され、第２のデータフォーマットを有する予め定義された第２のデータ作品にトランスコードされる。この第２のデータ作品は、バス２４と、たとえば、送信機および／または増幅器および／またはフィルタなどを含むチャンネルインターフェイス２５とを介して、アンテナ２８に供給される。
【００２３】
チャンネル４を用いて、第２のデータ作品は、アンテナ３７を介して、たとえば、モデムおよび／またはフィルタおよび／または増幅器および／またはバッファなどを含むチャンネルインターフェイス３１に到達する。プロセッサ３０は第２のデータ作品の到達を通知され、第２のデータ作品が変換され、増幅され、ｍｍｉ３６に供給され、１台以上のスピーカー３８によって再生されるように、チャンネルインターフェイス３１、変換器３９および増幅器４０を制御する。
【００２４】
或いは、ユーザは、予め定義されたデータ作品の検索要求などを送信するために、プロセッサ３０と、プロセッサ２０へのチャンネル４とを介して、ｍｍｉ３６を操作する。
【００２５】
対応する第１のデータ作品の予め定義された第２のデータ作品へのトランスコーディングは、大量の処理能力を必要とし、大量の電力を消費し、リアルタイムで実行されるか、または、トランスコーディング結果（の一部）を記憶媒体２３に（一時的に）格納することにより実行される。トランスコーディング結果の記憶は、同じ予め定義された第２のデータ作品のための命令または要求が繰り返される場合に、この所定の第２のデータ作品が既に利用可能であり、対応する第１のデータ作品をもう一度トランスコードすることにより生成される必要がない点で有利である。これは処理能力を節約し、消費電力を削減するが、必要な記憶容量を増加させる。すべての第１のデータ作品およびすべての第２のデータ作品が並行して格納され、巨大な記憶容量が必要とされることを防止するため、以下のメカニズムが導入される。
【００２６】
通常はすべての第１のデータ作品を備える第１のデータ作品のセットが記憶媒体２３に格納される。しかし、第２のデータ作品のサブセットだけが、たとえば、セットのうちの１％〜１０％だけが記憶媒体２３に格納される。その上、定期的な時間間隔で、または、対応する第１のデータ作品をトランスコードすることによって生成された直後に第２のデータ作品を格納するときに、第２の記憶媒体２３に格納された第２のデータ作品のサブセット全体のために必要な記憶容量の総量がチェックされる。この記憶容量の総量は、固定値、または、たとえば、記憶媒体２３に格納された第１のデータ作品のセット全体のため必要とされる記憶容量の総量に応じた変動値と比較される。比較結果が固定値または変動値を上回ることを示す場合、１個以上の第２のデータ作品が削除される。これは優先度リストに応じて行われる。さらに、たとえば、トランスコーダ２２が対応する第１のデータ作品を第２のデータ作品にトランスコードした後に第２のデータ作品を記憶媒体２３に格納するときに、第１のデータ作品または第２のデータ作品のそれぞれはデータ作品優先度が与えられる。下位の優先度を有する第２のデータ作品は、次に削除される。その結果として、上位の優先度を有する第２のデータ作品は、トランスコーディングを必要とすることなく、直接的に利用可能であり、一方、下位の優先度を有する第２のデータ作品は、記憶媒体２３に格納された対応する第１のデータ作品をトランスコードすることによって、間接的に利用可能になる。当然ながら、データ作品優先度は、定期的に、または、要求に応じて、かつ、たとえば、データ作品が要求された回数、および／または、前の要求と現在の要求との間の時間間隔などのような統計値に依存して、適応させられる。
【００２７】
代替的に、および／または、付加的に、たとえば、ピクチャーなどのような第３のフォーマットを有する第３のデータ作品が記憶媒体２３にさらに格納され、第３のフォーマットを有する新しい第３のデータ作品の到達は、さらに、たとえば、記憶媒体に格納された第２のデータ作品のサブセット全体のため必要な記憶容量の総量のチェックを始動し、１個以上の第２のデータ作品の削除などを始動する。
【００２８】
データ作品は音楽作品でもよく、第１のデータフォーマットは、たとえば、ＭＰ３（ＭＰＥＧオーディオレイヤー３）、ＷＡＶ（ウェイブ）、ＷＭＡ（ウィンドウズメディアオーディオ）などのような第１のオーディオ規格に対応し、第２のデータフォーマットは、ＳＢＣ（サブバンド符号化）などのような第２のオーディオ規格に対応する。第１のオーディオ規格は第２のオーディオ規格より少ない記憶容量を必要とする。ｍｍｉ２６は、第１のデータ作品、すなわち、第１のオーディオ規格を使用する第１の音楽作品を再生する１台以上のスピーカーがさらに設けられる。
【００２９】
或いは、データ作品はビデオ作品でもよく、第１のデータフォーマットは第１のビデオ規格に対応し、第２のデータフォーマットは第２のビデオ規格に対応する。その場合、再生装置３のｍｍｉ３６のディスプレイおよびスピーカー３８は、第２のデータ作品、すなわち、第２のビデオ規格を使用する第２のビデオ作品を再生するため使用される。ディスプレイを含むｍｍｉ２６は、第１のデータ作品、すなわち、第１のビデオ規格を使用する第１のビデオ作品を再生する１台以上のスピーカーがさらに設けられる。ビデオ作品は、たとえば、映画（の一部）、予告編（の一部）、または、ビデオクリップ（の一部）などを含む。
【００３０】
第１のデータ作品および対応する第２のデータ作品は、逆もまた同様に、通常は、同じ音楽作品または同じビデオ作品であって、フォーマットが異なる作品、すなわち、異なる規格を使用する同じ音楽作品または同じビデオ作品を規定する。したがって、第２のデータ作品のリストは、有益的には、たとえば、タイトルのようなデータ作品を指示する第１のサブフィールド、第１のフォーマットを有する第１のデータ作品の場所を指示する第２のサブフィールド、存在するならば第２のフォーマットを有する第２のデータ作品の場所を指示する第３のサブフィールド、および、優先度を指定する第４のサブフィールドからなる４個のサブフィールドを含むメモリフィールドを有するメモリを作成することにより、第１のデータ作品のリストと組み合わされる。このメモリは記憶媒体２３の一部を形成する場合と形成しない場合とがある。
【００３１】
当然ながら、本発明の意図から逸脱することなく、このようなメモリを作成するとき、および、優先度を定義するときに、これらの優先度が適合させられる方法、記憶容量の総量をチェックする時間間隔、固定値または変動値などの多数の代替案が可能である。さらに、記憶媒体２３およびｍｍｉ２６、３６は、どのような種類でもよい。第１のデータフォーマットおよび第２のデータフォーマットは第３のフォーマットなどの使用を排除しない。トランスコーダ２２は、１台の効率的なトランスコーディングユニット、または、別個の復号化ユニットおよび別個の符号化ユニットのいずれかを含む。セットは多数に対応し、サブセットは少数に対応する。しかし、少なくとも１個の特定の第２のデータ作品に対して、たとえば、特定の第２のデータ作品が消去不能にされているために対応する第１のデータ作品がもはや存在しなくなることは除外されるべきでない。
【００３２】
本発明による記憶装置２によって実行される一部のステップおよび／または一部の機能をフローチャート形式で示す図２において、以下のブロックは以下の意味をもつ。
【００３３】
ブロック５０：第２のデータフォーマットを有する予め定義された第２のデータ作品を再生する要求は受信されたか？肯定の返答であるならば、ブロック５１へ進み、否定の応答であるならば、所定の時間間隔を待ち、次に、ブロック５０へ進む。
【００３４】
ブロック５１：所定の第２のデータ作品は既に記憶媒体２３に格納されているか？肯定の応答であるならば、ブロック５２へ進み、否定の応答であるならば、ブロック５４へ進む。
【００３５】
ブロック５２：記憶媒体２３から所定の第２のデータ作品を取り出し（コピーし）、ブロック５３へ進む。
【００３６】
ブロック５３：所定の第２のデータ作品を再生装置３に供給し、ブロック５０へ進む。
【００３７】
ブロック５４：記憶媒体２３から第１のフォーマットを有する対応する第１のデータ作品を取り出し（コピーし）、ブロック５５へ進む。
【００３８】
ブロック５５：対応する第１のデータ作品を中間データ作品に復号化し、ブロック５６へ進む。
【００３９】
ブロック５６：中間データ作品を所定の第２のデータ作品に符号化し、所定の第２のデータ作品を再生するブロック５３へ進み、所定の第２のデータ作品を格納するブロック５７へ進む。
【００４０】
ブロック５７： 既に格納されている旧い第２のデータ作品に加えて、予め定義された第２のデータ作品を格納する記憶容量が記憶媒体２３に未だ存在するか？（例えば、固定値あるいは変動値とともに既に記憶されている旧い第２のデータ作品にとって必要な記憶容量と比較することにより決定されるべきである。）肯定の返答である場合は、ブロック５８へ進み、さもなければブロック５９へ進む。
ブロック５８：予め定義された第２のデータ作品を記憶媒体２３に格納し、ブロック５０へ進む。
【００４１】
ブロック５９：既に格納されている旧い第２のデータ作品のデータ作品優先度を取り出す。
【００４２】
ブロック６０：記憶媒体２３に既に格納されている１個以上の旧い第２のデータ作品は削除が許可されているか？（記憶媒体２３に既に記憶されている旧い第２のデータ作品の優先度を相互に比較することにより、および／または、予め定義された値と比較することにより決定されるべきである。）肯定の返答であるならば、削除が許可された既に格納された１個以上の旧い第２のデータ作品を選択し、ブロック６１へ進み、さもなければ、ブロック６２へ進む。
【００４３】
ブロック６１：選択された１個以上の旧い第２のデータ作品を削除し、ブロック５８へ進む。
【００４４】
ブロック６２：予め定義された第２のデータ作品を格納せずに、ブロック５０へ進む。
【００４５】
データ作品を再生装置に供給する方法（プロセッサプログラムプロダクト）は、第１のデータフォーマットを有する第１のデータ作品を受信するステップ（機能）と、第１のデータ作品を第１のデータフォーマットとは異なる第２のデータフォーマットを有する第２のデータ作品にトランスコードするステップ（機能）と、第１のデータ作品のセットおよび第２のデータ作品のサブセットを記憶媒体に格納するステップ（機能）と、予め定義された第２のデータ作品を記憶媒体で検索し、肯定的な検索結果に応じて、所定の第２のデータ作品を再生装置に供給し、否定的な検索結果に応じて、対応する第１のデータ作品を所定の第２のデータ作品にトランスコードし、所定の第２のデータ作品を再生装置に供給するステップ（機能）と、を含む。その結果、各ブロック５０〜６２は、上記の特定されたステップ（機能）のサブステップ（サブ機能）を形成する。
【００４６】
当然ながら、多数の代替案が本発明の意図から逸脱することなく可能である。たとえば、記憶媒体２３に既に格納された１個以上の旧い第２のデータ作品を削除する優先度を比較するとき、新しい予め定義された第２のデータ作品の優先度が盛り込まれても、盛り込まれなくてもよい。しかも、１個の記憶媒体２３を使用するのではなく、たとえば、第１のデータ作品のためのメモリスティックおよび第２のデータ作品のためのハードディスクドライブのような、たとえば、２〜３個の記憶媒体が第１のデータ作品と第２のデータ作品とそれらの場所および優先度などを備えたリストとを別々に格納するため使用される。その結果、記憶媒体２３は１個以上の記憶媒体を含む。着脱可能な記憶媒体の場合、たとえば、（第１のデータ作品のセットを含む）メモリスティックの記憶装置２への挿入が検出されると、プロセッサ２０は、ユーザからの相互作用などを用いることなく、最も人気のある第１のデータ作品の第２のデータ作品のサブセットへのトランスコーディングを命令し、第２のデータ作品のサブセットを同様にメモリスティックに格納し、或いは、ハードディスクドライブなどに格納する。たとえば、サブステップ（サブ機能）５９〜６１は、代替的におよび／または付加的に、たとえば、ピクチャーなどのような第３のフォーマットを有し、記憶媒体２３などに同様に格納されるべき新しい第３のデータ作品の到達によって始動される。
【００４７】
たとえば、「Ａのため」および「Ｂのため」における表現「のため（ｆｏｒ）」は、他の機能「Ｃのため」が、同時または非同時に同じように実行されることを排除しない。表現「Ｙに結合されたＸ」、「ＸとＹとの間の結合」、「ＸとＹの結合／ＸとＹを結合する」などは、ＸとＹとの間に要素Ｚが存在することを排除しない。
【００４８】
上記の実施形態は発明を限定するのではなく発明を明らかにするものであり、当業者は特許請求の範囲の意図から逸脱することなく多数の代替的な実施形態を設計し得ることに注意すべきである。請求項中、括弧内に置かれた参照符号は請求項を制限するものとして解釈されるべきでない。動詞「含む（ｃｏｍｐｒｉｓｅ）」とその活用形の使用は、請求項に記載されていない要素またはステップの存在を排除しない。要素の前に置かれた定冠詞「ａ」または「ａｎ」は、複数個のこのような要素の存在を排除しない。本発明は、複数の別個の要素を含むハードウェアを用いて、並びに、適切にプログラミングされたコンピュータを用いて実現される。複数の手段を列挙する装置の請求項において、数個のこれらの手段は全く同一のハードウェア品によって具現化される。ある種の手段が相互に異なる従属請求項に記載されているという単なる事実は、これらの手段の組み合わせを使用しても有利にならないということを示すものではない。
【００４９】
本発明は、特に、非トランスコーダ技術が比較的大量の記憶容量を必要とし、トランスコーダ技術が比較的大量の処理能力を必要とし、比較的大量の電力を消費するという見識に基づき、特に、すべての第２のデータ作品が記憶媒体に格納される必要はなく、第１のデータ作品のセットと第２のデータ作品のサブセットだけが格納されるべきであり、プロセッサが所定の第２のデータ作品を検索し、それを検出できなかった場合、対応する第１のデータ作品をこの所定の第２のデータ作品にトランスコードするトランスコーダを作動するという基本概念に基づいている。
【００５０】
本発明は、特に、記憶容量および処理能力を比較的効率的に使用する記憶装置を提供する問題を解決し、特に、トランスコーダを常に使用する従来技術の装置よりバッテリー寿命が増加する点、並びに、第１のデータ作品と第２のデータ作品をすべて並行して格納する従来技術の装置よりも必要な記憶容量が少ない点で有利である。さらに、本発明による記憶装置は、たとえば、インターネットと非インターネットデータフォーマットを必要とするチャンネルとの間に効率的なオーディオインターフェイスを提供する。
【図面の簡単な説明】
【００５１】
【図１】再生装置に接続された本発明による記憶装置をブロック図形式で示す図である。
【図２】本発明による記憶装置で実行されるステップおよび／または機能をフローチャート形式で示す図である。
【符号の説明】
【００５２】
１  システム
２  記憶装置
３  再生装置
２１  入力インターフェイス
２２  トランスコーダ
２３  記憶媒体
２４  バス
２５  チャンネルインターフェイス
２６  プロセッサ
２７  入力
２８  アンテナ
３０  プロセッサ
３１  チャンネルインターフェイス
３６  マンマシンインターフェイス
３７  アンテナ
３８  スピーカー
４０  増幅器
【図１】
2007528087.tif 000003
【図２】
2007528087.tif 000004
【国際調査報告】
2007528087.tif 000005
2007528087.tif 000006
2007528087.tif 000007